(57)【要約】      （修正有）【課題】個々に異なる品質のラップフイルムを総じて切断可能とし、ラップフイルムを使用分引き出し切断するまで安易にし、また次回引き出し時に密着の心配もなく、ラップフイルムの端部分を安易に持ち引き出せるラップフイルム収納ケースを提供する。【解決手段】個々に異なる品質のラップフイルム切断に最適な形状のほぼＬ型状に折曲した刃を複数設け、この切断する刃に適合する歯合部分、接合部分、切断する刃が自然に協力して挟切可能な収納ケースを複数設ける。そして、切断する刃、収納ケースをそれぞれ選択したラップフィルム収納ケースとする。【選択図】図１
0003100950.tif 000002
【実用新案登録請求の範囲】
【請求項１】
0003100950.tif 000010
ム切断に最適な形状に成形する、（３）個々に異なる形状を複合し、成形した切断する刃を複数以上設ける、（４）切断する刃の形状を示す、１．諸刃形状、２．すべり台形状、３．波状うねり形状、４．傾斜形状、５．凹部形状、６．凸部形状、７．湾曲形状、８．すり鉢形状、９．直線形状、等を設ける、１−９の個々に異なる切断する刃の先端をのこぎり刃形状に成形した切断する刃を設ける．該、切断する刃を１選択し、本考案のラップフイルム収納ケースに接合する、（４）、前面、後面、横左面、横右面、底からなる、ラップフイルム収納ケース本体を設ける、（５）、後面上端に開閉自在な蓋を接合（連設も可能）し、蓋のいち部に突出又は凹部、凸部を設けた（折たたみ・着脱自在）蓋開閉補助具を設ける、（６）、後面上端に開閉自在な蓋を接合（連設も可能）した、蓋の前端に垂下面を設ける、（垂下面の下部が折り返し回路の指示体となる）、（７）、垂下面の下部、折り返し回路となる部分を残し厚みに段差をつけて（補強物質を接合も可能）段差をつけた厚みの下端面に歯合部分、接触部分を設ける、（８）、底前端を延長し、折り返し回路の指示体になる厚みプラス、ラップフイルムの厚みを残し上方に折曲し（補強物質接合も可能）直立面を設け、前面と直立面の間に溝状の空間を設ける、（９）直立面の上端部分に本考案の切断する刃を１選択して接合する、（１０）、前面上部ほぼ中央を下方に切除し引き出し口を設ける、（１１）Ａ．突出形状の弾力性の強い軸を設け、ケース本体左右横内側に、左右均等に接合した飛び出し防止軸を設ける、Ｂ．前面上端部分ほぼ中央を切除し２、分割した飛び出し防止部を設ける、Ｃ．ケース本体上部に梁状の飛び出し防止部を設ける、（１２）ラップフイルムを使用分引き出し、蓋を閉じると折り返し回路の指示体が、ラップフイルムを溝状の空間に押入し、ラップフイルムが折り返し回路を通過した状態となる、（１３）形状の異なる、本考案のラップフイルム収納ケースを複数設け、１を選択し、切断する刃を、１、選択し接合する．ラップフイルムを切断時、切断する刃、歯合部分、接触部分が自然に協力して挟切可能なことを特徴とする、選択、複合、接合してなるラップフイルム収納ケース
【請求項２】
0003100950.tif 000011
分）別途に設け、用途にあわせ適合する位置に接合してなる、請求項１に記載の、選択、複合、接合してなるラップフイルム収納ケース
【考案の詳細な説明】
【０００１】
〔考案の属する技術分野〕
本考案は、ラップフイルム（塩化ビニリデン系樹脂フイルム、ポリエチレン系樹脂フイルム等で代表される合成樹脂製のフイルム、アルミニウム箔等の金属箔、グラッシングペーパー、ワックスペーパー等の長尺紙類および、これらの積層品で、巻回したものを引き出して用いるものを総称する）を収納し、使用分を引き出して切断する刃および、ラップフイルム収納ケースにかかわるものである．
【０００２】
〔従来の技術〕
食品包装用ラップフイルム収納ケースは軟質の板状紙で製造されている、収納ケース内に収納し、使用分引き出して切断する刃の先端が、接合した支持体になる面と同方向を指している（下むきになっている）ラップフイルムを切断時、ラップフイルムの横巾が直線的に切断する刃の先端横側に均等に当る故、切れ味が悪くなる、（例えば、特公平７−６４３５５を参照）
【０００３】
ラップフイルム収納ケース本体の一辺に連設している蓋の中央部分は山形状に突出させて、蓋の先端と同方向にして、使用分を引き出したラップフイルムを切断する刃を接合している、ラップフイルムを切断するとき、蓋の中央部分を山形状に突出させた部分を親指で強くおさえて、ケース本体を内側にこねるように傾斜させて、ラップフイルムをケース本体の反対方向に引くと切断できるが、発売元、株式会社ダイエイのポリエチレンラップは全然切断できない、弾力性のあるラップは切断不可能である．（例えば、特公平７−１００５０７を参照）
【０００４】
〔考案が解決しようとする課題〕
食品包装用ラップフイルム収納ケースで説明すると、巻芯に巻いてロール状にしたラップフイルムを１本当、収納ケース本体内に収納し使用済になると、ゴミとして捨てらている．（１）長期間使用可能なラップフイルム収納ケースを製造する、（２）ラップフイルムが使用済になると、其の都度入れ替えて使用する．（３）品質の異なるラップフイルムも総じて切断可能な、切断する刃を設ける、（４）切断する刃を接合するラップフイルム収納ケースを設ける、（５）ラップフイルム収納ケースの蓋、開閉を安易にする、（６）ラップフイルムの端部分が収納ケースに密着するのを防止して、次回引き出し時にラップフイルムの端部分を安易に持ち引き出せるようにする、（７）ゴミ問題のいったんを解決する．本発明は、これらのことを解決し、社界に少々ながら貢献しようとするものである
【０００５】
〔問題を解決するための手段〕
（１）硬質の板状紙、木材、プラスチック系等の材質を用い、長期間使用可能なラップフイルム収納ケースを製造する．（２）ラップフイルムが使用済になると、其の都度入れ替えて使用する、（３）切断する刃の先部分を変化させ成形した刃を、複数以上設け、品質の異なるラップフイルム切断に最適な切断する刃を設ける、（４）折り返し回路を設け、切断する刃、歯合部分、接触部分が自然に協力して挟切可能な、接合してなるラップフイルム収納ケースを設ける、（５）ラップフイルム収納ケースの・蓋の、いち部に突出又は凹部、凸部を設け、内側に折りたたみ自在の（固定も可能）蓋開閉補助具を設ける、（６）収納ケース本体の前面上部分ほぼ中央を下方に切除し引き出し口を設ける、（７）Ａ．突出形状の弾力性の強い軸になる器具を設け、ラップフイルム収納ケース本体左右横内側に均当に接合した、飛び出し防止部を設ける、Ｂ．前面ほぼ中央を切除し２分割した飛び出し防止部を設ける、Ｃ．収納ケース本体上部に着脱自在の飛び出し防止部を設ける、（８）ゴミ間題のいったんを少々ながら解決する．
【０００６】
〔考案の実施の形態〕
0003100950.tif 000003
をラップフイルム切断に最適な形状に成形する、（２）品質の異なるラップフイルムを、総じて切断可能な形状の切断する刃を複数以上設ける、（３）折り返し回路、折り返し回路の指示体、歯合部分、接触部分、引き出し口、蓋開閉補助具、密着防止部、飛び出し防止部、を有する収納ケースを複数以上設ける、（４）切断する刃、ラップフイルム収納ケース各１を選択複合接合しラップフイルム切断時、切断する刃、歯合部分接触部分が恊力して挟切可能な収納ケースを設ける
【０００７】
〔実施例〕
以下、本考案の実施の形態を図に基ずいて説明する
【０００８】
図１は、請求項１に示す、選択、複合、接合してなるラップフイルム収納ケースの形態を示す、ラップフイルム収納ケース本体２にラップフイルム１４を収納し、使用分引き出し蓋３を閉じると、折り返し回路の指示体６がラップフイルム１４を溝状の空間９に押入し、ラップフイルム１４が折り返し回路を１８を通過した状態を示す、ラップフイルムの端部分１５をもち、ラップフイルム収納ケース本体２、ラップフイルム１４の、いっぽうを反対方向に扇子を開くように動かすと、歯合部分及び接合部分７、諸刃状の切断する刃１６、諸刃状の切断する刃１７が自然に恊力して挟切が完了する、なを、垂下面５、直立面８、蓋接合器具１９、蓋開閉補助具４（形状の変更は可能）引き出し口１０、支持体２９を示す
【０００９】
図２は、蓋３の上面後部ほぼ中央２０に、蓋開閉補助具４を接合し、親指を内側にそえて外側に動かすと蓋３が開き、内側にもどすと自重で閉まることを示すなを、切断する刃１、垂下面５、挟切可能部分２３となっている
【００１０】
図３は、請求項１の（４）の５に示す、凹部形状の切断する刃３２の中央部分を切除し、切除した左右を（４）８に示す、すり鉢形状の切断する刃２５を適合可能に変化させ、凹部形状と、すり鉢形状を、選択、複合、接合し成形した一例を示す、２分割した切断する刃２６、ラップフイルム収納ケース本体２、蓋３、蓋開閉補助具４、垂下面５、折り返し回路の指示体６、歯合部分及び接合部分７直立面８、溝状の空間９、引き出し口１０、２分割した飛び出し防止部１１、収納ケース本体上部空白部分１２、切断する刃を切除した部分１３、本考案の選択、複合、接合してなるラップフイルム収納ケースを示す
【００１１】
図４は、請求項１に記載の本考案形態部分を、ラップフイルム収納ケース本体２の上部に設けたことを示す、なを、切断する刃１、蓋３、折り返し回路の指示体６、溝状の空間９、引き出し口１０、着脱自在の梁状飛び出し防止部２１、凸部を有する取り出し部２２、凸部と凸部の間に出来る空間が、次回ラップフイルムを引き出し時に、ラップフイルムを安易に摘むことが出来ることを示す
【００１２】
図５は、図４に示す蓋３を閉じた状態に示す、切断する刃１、ラップフイルム収納ケース本体２、蓋開閉補助具４、溝状の空間９が折り返し回路１８になる、折り返し回路の指示体６、凸部を有する取り出し部２２、着脱自在の梁状飛び出し防止部２１となっている
【００１３】
図６は、図４に示すラップフイルム収納ケース本体２内に収納した、ラップフイルム１４を使用分引き出した状態を示している、切断する刃１、蓋３、蓋開閉補助器具４、溝状の空間９、折り返し回路１８、着脱自在の梁状飛び出し防止部２１、凸部を有する取り出し部２２、ラップフイルムの端部分１５となっている
【００１４】
図７は、請求項１に記載の本考案形態部分を、ラップフイルム収納ケース本体２の上部に設けたことを示す、切断する刃１、蓋３、蓋開閉補助具４、垂下面５、溝状の空間９、折り返し回路の指示体６、蓋接合器具１９、支持体２９、着脱自在の梁状飛び出し防止部２１、凸部を有する取り出し部２２となっている。
【００１５】
図８は、収納ケース本体２内左右に突出形状の弾力性の強い軸２７を設けた事を示す蓋３、蓋接合器具１９、蓋開閉補助具４、収納ケース補強物質４３を示す
【００１６】
図９は、図７に示すラップフイルム収納ケース本体２内にラップフイルム１４を収納し、使用分引き出した状態を示している、切断する刃１、蓋３、蓋開閉補助具４、溝状の空間９、ラップフイルムの端部分１５、着脱自在の梁状飛び出し防止部２１、凸部を有する取り出し部２２、蓋接合器具１９、支持体２９を示す
【００１７】
図１０は、請求項１（４）記載の、１、諸刃形状の切断する刃Ａ、１６の刃の先端は、上むきになっている、諸刃形状の切断する刃Ｂ、１７の刃の先端は横むきになっている、（切断する刃の先端の方向はラップフイルムの質にあわせ変更し成形する）ラップフイルム１４を切断時において、諸刃形状の切断する刃Ａ、１６の刃が先に切断し、次いで、諸刃形状の切断する刃Ｂ、１７が切断する、にだん構えに刃を並列しているので、異なるラップフイルム１４も総じて安易に切断可能なことを示す。（別途の刃を接合して諸刃形状の切断する刃に成形可能）
【００１８】
図１１は、請求項１（４）に記載の、２すべり台形状の切断する刃２８を示すラップフイルムを切断時（ラップフイルムの横巾が広いので切断する刃に均等直線状に当る故切断する切れ味が悪い）切断困難である、ラップフイルムの横巾のいつか所を先に切断すると、安易に切断可能になる、すべり台形状の切断する刃２８の先端部分４０が先に、ラップフイルムの、いつか所を切断することを示す、支持体２９を示す、すべり台形状の形状は其の都度適合可能に変更する。
【００１９】
図１２は、請求項１（４）記載の、３、波状うねり形状の切断する刃３０を示す、切断する刃の先端４０が先に、ラップフイルムの、複数か所を切断することを示す。
【００２０】
図１３は、請求項１（４）記載の、４、傾斜形状の切断する刃３１を示す、切断する刃の先端４０が先に、ラップフイルムの、いつか所を切断することを示す
【００２１】
図１４は、請求項１（４）記載の、５、凹部形状の切断する刃３２を示す、切断する刃の先端４０が先に、ラップフイルムの両端を切断することを示す
【００２２】
図１５は、請求項１（４）記載の、６、凸部形状の切断する刃３３を示す、切断する刃の先端４０が、ラップフイルムの複数以上のカ所を切断することを示す
【００２３】
図１６は、請求項１（４）記載の、７、湾曲形状の切断する刃３４を示す、切断する刃の先端４０が先に、ラップフイルムの、ほぼ中央部分を切断することを
0003100950.tif 000004
【００２４】
図１７は、請求項１（４）記載の、８、すり鉢形状の切断する刃３５を示す、切断する刃の先端４０が先に、ラップフイルムの両端を切断することを示す。
【００２５】
図１８は、請求項１（４）記載の、９、直線形状の切断する刃３６を示す、切断する刃の先端４０が、直線的にラップフイルムに当ることを示す。
【００２６】
図１９、図２０、図２１、図２２、図２３、図２４、図２５、図２６、図２７は、図１０、図１１、図１２、図１３、図１４、図１５、図１６、図１７、図１８の、個々に異なる切断する刃の先端を、のこぎり刃形状２４に変化させ成形し
0003100950.tif 000005
【００２７】
図２８は、請求項１に記載の、個々に異なる切断する刃の先端をのこぎり刃形状に成形した切断する刃を設ける、この、のこぎり刃形状の刃をＡとＢに分別し、のこぎり刃形状の刃Ａ４１を長く設け、のこぎり刃形状の刃Ｂ４２を短く設け、のこぎり刃形状の刃Ａ４１が先にラップフイルムを切断し、のこぎり刃形状の刃Ｂが後でラップフイルムを切断する、（ラップフイルムの横巾が直線均等に切断する刃に当るので切れ味が悪くなることを解決できる）ので安易に切断可能な
0003100950.tif 000006
とを示す、刃Ａの数、刃Ｂの数の並べ順、刃、は切断に最適な形状に変更可能、
【００２８】
図２９は、図２８に示す切断する刃の先端を、のこぎり刃形状２４に変更成形したことを示す、支持体２９となっている。
【００２９】
0003100950.tif 000007
分を、（支持体を切除した部分）別途に設け、切断可能とした別途に設けた切断する刃３７を示す。
【００３０】
図３１は、図３０に示す別途に設けた切断する刃３７に、別途に設けた支持体３９を接合したことを示す、いち例である
【００３１】
図３２は、図３０に示す、別途に設けた切断する刃３７を、従来のラップフイルム収納ケース４９の垂下面５の下部に接合したことを示す、蓋３、ラップフイルム１４、ラップフイルムの端部分１５となっている、なを、本考案の切断する刃は従来のラップフイルム収納ケース及び、巻芯に巻いてロール状にして使用分引き出して切断する収納ケースには、総じて接合し使用可能である
【００３２】
図３３は、下部に引き出し口１０を設けたラップフイルム収納ケース４４に、傾斜形状３１と凹部形状３２の切断する刃を選択、複合、成形しラップフイルム１４を引き出した状態を示す、直立面を有する開閉自在な蓋４５となっている
【００３３】
図３４は、図３３に示すラップフイルム１４を引き出した状態から、ラップフイルムケース４４の反対方向に引くと、切断する刃の先端部分４０がラップフイルム１４の横巾ほぼ中央部分を先に切断することを示す
【００３４】
図３５は、本考案形態部分を、ラップフイルム収納ケース本体２の下部に設けたことを示す、蓋３、切断する刃１、ラップフイルム１４、ラップフイルムの端部分１５、蓋接合器具１９（蓋は連設可能）、直立面を有する開閉自在の蓋４４、歯合部分及び接触部分７を示す、いち例である
【００３５】
図３６は、従来のラップフイルム収納ケース４９に接合した、従来の切断する刃４６は、接合した垂下面５と同方向を指し下むきになっている、切断時ラップフイルムを引くと切断する刃の横側３８に当り切れ味が悪くなることを示す、なを、蓋３、ラップフイルム１４、ラップフイルムの端部分１５となっている
【００３６】
図３７は、従来のラップフイルム収納ケース４９に本考案の切断する刃１を、１選択して接合したことを示す、更に、凹凸を有する密着防止部を兼用する補強物質４７、収納ケース補強物質４３、蓋開閉補助具４を接合したことを示す、なを、切断時ラップフイルム１４を引くと、切断する刃の先端４０にあたる故に切れ味が倍増し快適に切断可能となる、補強物質を接合することで長期間ラップフイルム収納ケースが使用可能となる、蓋３、垂下面５、ラップフイルムの端部分１５、蓋開閉補助具４は接合する状態で形状及び方法は自由に変更可能である。
【００３７】
図３８は、直線形状の切断する刃３６を用いてラップフイルム１４を切断する場合、ラップフイルム１４の横巾が切断する刃に直線的、均等に当ることを示す、この場合弾力性の強いラップフイルム（例えば、発売元、ダイエイのポリエチレンラップ）は切断不可能である、いち例として、図２９に示す、のこぎり刃形状の刃をＡとＢに分別した、切断する刃を選択し用いると切れ味も倍増し快適に切断可能となる、なを（のこぎり刃形状の刃をＡとＢに分別した切断する刃は、図２４と図２１に示す切断する刃を複合、変形させ成形したことを示す、且、ほ
0003100950.tif 000008
るので、のこぎり刃形状の刃をＡとＢに分別し、刃の先部分を荒く突出、拡大してもラップフイルムを切断時に傷害を受ける危険は皆無である）蓋３、直立面を有する開閉自在な蓋４５となっている。
【００３８】
〔考案の効果〕
個々に異なる品質のラップフイルムを総じて切断可能となり、ラップフイルムを使用分引き出し切断するまでが安易に完了するので快適に使用出来る、次回引き出し時に密着の心配もなく、ラップフイルムの端部分を安易に持ち引き出せる、何の障害もなくなり安心して使用できる、長期間ラップフイルム収納ケースを使用することで、ゴミ問題のいつ端を解決し少々ながら社界に貢献できる
【図面の簡単な説明】
【図１】本考案の実施の形態を示す、側面図
【図２】本考案のラップフイルム収納ケースを示す、立体図
【図３】蓋を開放したラップフイルム収納ケースを示す、立体図
【図４】本考案の実施の形態を収納ケース本体上部に設けたことを示す、立体図
【図５】蓋を閉じたラップフイルム収納ケースを示す、立体図
【図６】実施の形態を示す、側面図
【図７】本考案の実施の形態を収納ケース本体上部に設けたことを示す、立体図
【図８】収納ケース本体内側左右に弾力性の強い軸を設けたことを示す、立体図
【図９】図７の実施の形態を示す、側面図
【図１０】請求項１（４）１に記載の諸刃形状の切断する刃を示す、立体図
【図１１】（４）２に記載のすべり台形状切断する刃を示す、立体図
【図１２】（４）３に記載の波状うねり形状の切断する刃を示す、立体図
【図１３】（４）４に記載の傾斜形状の切断する刃を示す、立体図
【図１４】（４）５に記載の凹部形状の切断する刃を示す、立体図
【図１５】（４）６に記載の凸部形状の切断する刃を示す、立体図
【図１６】（４）７に記載の湾曲形状の切断する刃を示す、立体図
【図１７】（４）８に記載のすり鉢形状の切断する刃を示す、立体図
【図１８】（４）９に記載の直線形状の切断する刃を示す、立体図
【図１９】諸刃形状の切断する刃の先端をのこぎり刃形状に成形したことを示す、立体図
【図２０】すべり台形状の切断する刃の先端をのこぎり刃形状に成形したことを示す、立体図
【図２１】波状うねり形状の切断する刃の先端をのこぎり刃形状に成形したことを示す、立体図
【図２２】傾斜形状の切断する刃の先端をのこぎり刃形状に成形したことを示す、立体図
【図２３】凹部形状の切断する刃の先端をのこぎり刃形状に成形したことを示す、立体図
【図２４】凸部形状の切断する刃の先端をのこぎり刃形状に成形したことを示す、立体図
【図２５】湾曲形状の切断する刃の先端をのこぎり刃形状に成形したことを示す、立体図
【図２６】すり鉢形状の切断する刃の先端をのこぎり刃形状に成形したことを示す、立体図
【図２７】直線形状の切断する刃の先端をのこぎり刃形状に成形したことを示す、立体図
【図２８】直線形状の切断する刃の先をＡとＢに分別し刃に長短をつけたことを示す、立体図
【図２９】直線形状の切断する刃の先をＡとＢに分別し刃に長短をつけた切断する刃の先端をのこぎり刃形状に成形したことを示す、立体図
【図３０】0003100950.tif 000009
たことを示す、平面図
【図３１】切断する刃の先部分を別途に設け、別途の支持体に接合したことを示す、立体図
【図３２】切断する刃の先部分を別途に設け従来のラップフイルム収納ケースに接合したことを示す、側面図
【図３３】本考案の形態を下部に設け凹部形状の切断する刃と傾斜形状の切断する刃を複合成形したことを示す、立体図
【図３４】図３３の状態からラップフイルムを引くと、ほぼ中央部分を、先に切断することを示す、立体図
【図３５】下部に本考案の形態を設けたことを示す、側面図
【図３６】従来の切断する刃の先端は接合部分の先端と同方向を指していることを示す、側面図
【図３７】従来のラップフイルム収納ケースに本考案の切断する刃を、１選択し接合したことを示す、側面図
【図３８】直線形状の切断する刃を用いラップフイルム切断時、横巾が切断する刃に直線的、均等に当ることを示す、立体図
【符号の説明】
１  切断する刃
２  ラップフイルム収納ケース本体
３  蓋
４  蓋開閉補助具
５  垂下面
６  折り返し回路の指示体
７  歯合部分及び接触部分
８  直立面
９  溝状の空間
１０  引き出し口
１１  ２分割した飛び出し防止部
１２  収納ケース本体上部空白部
１３  切断する刃を切除した部分
１４  ラップフイルム
１５  ラップフイルムの端部分
１６  諸刃形状の切断する刃のＡ
１７  諸刃形状の切断する刃のＢ
１８  折り返し回路
１９  蓋接合器具
２０  蓋上面後部ほぼ中央
２１  着脱自在の梁状飛び出し防止部
２２  凸部を有する取り出し部
２３  挟切可能部分
２４  のこぎり刃形状の切断する刃
２５  適合可能に変化させたすり鉢形状の切断する刃
２６  ２分割した切断する刃
２７  突出状の弾力性の強い軸
２８  すべり台形状の切断する刃
２９  支持体
３０  波状うねり形状の切断する刃
３１  傾斜形状の切断する刃
３２  凹部形状の切断する刃
３３  凸部形状の切断する刃
３４  湾曲形状の切断する刃
３５  すり鉢形状の切断する刃
３６  直線形状の切断する刃
３７  別途に設けた切断する刃
３８  切断する刃の横側
３９  別途に設けた支持体
４０  切断する刃の先端
４１  のこぎり刃形状のＡ
４２  のこごり刃形状のＢ
４３  収納ケース補強物質
４４  下部に引き出し口を設けた収納ケース
４５  直立面を有する開閉自在な蓋
４６  従来の切断する刃
４７  凹凸を有する密着防止部を兼用する補強物質
４８  収納ケース本体前面
４９  従来のラップフイルム収納ケース
【図１】
0003100950.tif 000012
【図２】
0003100950.tif 000013
【図３】
0003100950.tif 000014
【図４】
0003100950.tif 000015
【図５】
0003100950.tif 000016
【図６】
0003100950.tif 000017
【図７】
0003100950.tif 000018
【図８】
0003100950.tif 000019
【図９】
0003100950.tif 000020
【図１０】
0003100950.tif 000021
【図１１】
0003100950.tif 000022
【図１２】
0003100950.tif 000023
【図１３】
0003100950.tif 000024
【図１４】
0003100950.tif 000025
【図１５】
0003100950.tif 000026
【図１６】
0003100950.tif 000027
【図１７】
0003100950.tif 000028
【図１８】
0003100950.tif 000029
【図１９】
0003100950.tif 000030
【図２０】
0003100950.tif 000031
【図２１】
0003100950.tif 000032
【図２２】
0003100950.tif 000033
【図２３】
0003100950.tif 000034
【図２４】
0003100950.tif 000035
【図２５】
0003100950.tif 000036
【図２６】
0003100950.tif 000037
【図２７】
0003100950.tif 000038
【図２８】
0003100950.tif 000039
【図２９】
0003100950.tif 000040
【図３０】
0003100950.tif 000041
【図３１】
0003100950.tif 000042
【図３２】
0003100950.tif 000043
【図３３】
0003100950.tif 000044
【図３４】
0003100950.tif 000045
【図３５】
0003100950.tif 000046
【図３６】
0003100950.tif 000047
【図３７】
0003100950.tif 000048
【図３８】
0003100950.tif 000049
【手続補正書】
【提出日】平成15年10月17日(2003.10.17)
【手続補正１】
【補正対象書類名】明細書
【補正対象項目名】実用新案登録請求の範囲
【補正方法】変更
【補正の内容】
【実用新案登録請求の範囲】
【請求項１】
引き出した状態で挟切可能な収納ケースであって下記の（ａ）〜（ｆ）で構成をすることを特徴とする、選択、複合、接合してなるラップフイルム収納ケース
（ａ）前面、後面、横左面、横右面、底からなるラップフイルム収納ケース本体の後面上端に、垂下面を有する開閉自在な蓋を接合している
（ｂ）ラップフイルム収納ケース本体の前面に対向する位置に、溝状の空間を挟み直立面を設けている
（ｃ）蓋の前面垂下面上部に蓋開閉補助具を設け、該垂下面下部が溝状の空間に押入可能になっている
（ｄ）ラップフイルム収納ケース本体前面上端に飛び出し防止部を設け、ほぼ中央に引き出し口を設けている
（ｅ）１個所を始め複数以上の個所を先に切断した後に継続して残余の部分を切断可能と
0003100950.tif 000050
する刃の先端がタップフイルム収納ケース本体前面を指向可能になっている。
0003100950.tif 000051
にして、次に示す複数以上設け、諸刃形状の切断する刃、すべり台形状の切断する刃、傾斜形状の切断する刃、凹部形状の切断する刃、凸部形状の切断する刃、湾曲形状の切断する刃、すり鉢形状の切断する刃、直線形状の切断する刃等々の該切断する刃のなかより１を選択して、ラップフイルム収納ケースに接合してなる、選択、複合、接合してなるラップフイルム収納ケース
【請求項２】
複数以上を設け１を選択して使用可能とするものであって、下記の（ａ）〜（ｃ）で構成するラップフイルム収納ケースに接合する飛び出し防止部
（ａ）前面上端部分ほぼ中央を下方に切除成形し引き出し口を設けた左右両横に飛び出し防止部を設ける
（ｂ）ラップフイルム収納ケース本体上部に取り出し口を有する染状飛び出し防止部を設ける
（ｃ）ラップフイルム収納ケース本体左右横内側に、弾力性の強い突出した軸を設け左右均等に接合した飛び出し防止軸を設け、該なかより１を選択して使用する、請求項１に記載のラップフイルム収納ケース